(57)【要約】【課題】  シンプルで斬新なデザインを有し、構造が簡単で、低コスト、リサイクルが容易、かつヒール交換が可能なハイヒールタイプのサンダルを提供する。【解決手段】  金属板を所定形状に打抜き、折曲加工を施してなるサンダル本体２と、前記サンダル本体２の踵部下面３に取付けられたヒール取付部４と、前記ヒール取付部４に着脱可能に取付けられる金属製のヒール５とを備える。そして、サンダル本体２およびヒール５は、軽金属からなると好ましく。さらに、複数種類のヒール５を備え、その内の選択された１つのヒール５が、前記ヒール取付部４に取付られる構成にすると好ましい。【選択図】  図１
2008018134.tif 000002
【特許請求の範囲】
【請求項１】
金属板を所定形状に打抜き、折曲加工を施してなるサンダル本体と、
前記サンダル本体の踵部下面に取付けられたヒール取付部と、
前記ヒール取付部に着脱可能に取付けられる金属製のヒールとを備えたことを特徴とするサンダル。
【請求項２】
サンダル本体およびヒールは、軽金属からなる請求項１記載のサンダル。
【請求項３】
複数種類のヒールを備え、その内の選択された１つのヒールが、前記ヒール取付部に取付られる請求項１または２記載のサンダル。
【発明の詳細な説明】
【技術分野】
【０００１】
本発明は、ハイヒールタイプのサンダルに関するものである。
【背景技術】
【０００２】
従来のハイヒールタイプのサンダルとして、サンダル本体と、ヒールとを合成樹脂を用いて一体成形されたものが一般的であった。あるいは、木や革などの材料を用いてサンダル本体を形成し、これにヒールを固定したものも存在した。
【発明の開示】
【発明が解決しようとする課題】
【０００３】
上記のように、従来の一般的なハイヒールタイプのサンダルは、サンダル本体とヒールとが一体成形されたり、分離不可に固定されているため、ヒール交換ができずデザインが決められた一定のものとなるという問題点があった。しかも従来のハイヒールタイプのサンダルは、伝統的なデザインに留まったものであった。また、従来のサンダルはリサイクル利用が困難な樹脂で構成されていたり、各種材料のものが混在一体化されているため、リサイクルに不向きであるという問題点があった。
【０００４】
本発明は、上記問題点に鑑み、シンプルで斬新なデザインを有し、構造が簡単で、低コスト、リサイクルが容易、かつヒール交換が可能なハイヒールタイプのサンダルを提供することを目的とする。
【課題を解決するための手段】
【０００５】
本発明は上記目的を達成するため、金属板を所定形状に打抜き、折曲加工を施してなるサンダル本体と、前記サンダル本体の踵部下面に取付けられたヒール取付部と、前記ヒール取付部に着脱可能に取付けられる金属製のヒールとを備えたことを特徴とする。
【０００６】
本発明によれば、デザイン的に看者の注意を最も引くサンダル本体を、所定形状に打抜き折曲加工を施された金属板で構成することにより、従来にないシンプルで斬新なデザインのサンダルとすることができる。またサンダル本体とヒールとを金属製としているため、リサイクルに有利である。さらにヒールをサンダル本体に対し着脱可能に取付けるため、使用者の好みに応じてヒール交換が可能となる。
【０００７】
本発明において、サンダル本体およびヒールは、アルミニウム、マグネシウム、ベリリウム、チタン、あるいはアルミニウム合金等の軽金属から構成すると好ましい。これによりサンダルの軽量化を図ることができる。なお、サンダル本体およびヒールをステンレス鋼などの非軽金属で構成することも可能である。
【０００８】
また、複数種類のヒールを備え、その内の選択された１つのヒールが、前記ヒール取付部に取付られる構成にすると好ましい。これにより、ファッション性に富んだヒールの交換や傷ついたヒールの交換ができる。
【発明の効果】
【０００９】
本発明によれば、シンプルで斬新なデザインを有し、構造が簡単で、低コスト、リサイクルが容易、かつヒール交換が可能なハイヒールタイプのサンダルを提供することができる。
【発明を実施するための最良の形態】
【００１０】
以下に本発明の実施形態を図１〜図３に基づいて詳細に説明する。
【００１１】
本実施形態のサンダル１は、図１に示すように、サンダル本体２と、サンダル本体２の下面踵側３に取付られたヒール取付部４と、このヒール取付部４に着脱可能に取付けられるヒール５とを備えている。そして、図２に示すように、ヒール５は前記ヒール取付部４に螺合により取付けられ、さらに止めネジ６により両者４、５を固定する構成となっている。
【００１２】
前記サンダル本体２は、厚さ約５ｍｍ〜８ｍｍの板状のアルミニウム合金を所定形状に打抜き、折曲加工により形成されたものであり、その下面踵側３にアルミニウム合金からなるヒール取付部４が溶接されている。またその下面つま先側７に、板状のゴムからなる底材８が接着剤で取付けられている。また上面全般に、透明のウレタン樹脂フィルムからなる滑り止め材９が接着剤により接着されている。また、サンダル本体２には、リング状のストラップ（鼻緒）１０が取付けられている。このストラップ１０の先端部は筒状保持体１２に保持され、筒状保持体１２はサンダル本体２のつま先側７に穿孔した孔１１に挿入されて、サンダル本体２と底材８との間で保持されている。ストラップ１０の後端部は、サンダル本体２の中間位置にあたる傾斜部位１３の下面に形成された凹溝１４に掛けられるように取付けられている。そしてストラップ１０を凹溝１４に取付けた後、これを覆うように被覆材１５により被覆される。この被覆材１５により、ストラップ１０が凹溝１４から不意に外れることを防止すると共に、外部から凹溝１４を覆い隠して美観が優れたものとなるようにしている。
【００１３】
前記ヒール５は、図２に示すように、アルミニウム合金からなり、中空逆円錐形状に形成されている。ヒール５の下端にはゴム製の底材１６が取付けられており、上端開口内側には雌ネジ部１７が形成されており、さらにその上端開口外側には止めネジ６を挿通するための孔１８が穿孔されている。またサンダル本体２のヒール取付部４にはヒール５の雌ネジ部１７と螺合する雄ネジ部１９が形成されており、さらにその雄ネジ部１９には、ヒール取付部４にヒールが取付けられた状態においてヒール５の孔１８と同心となり、前記止めネジ６と螺合するネジ孔２０が設けられている。
【００１４】
ヒール５をサンダル本体２のヒール取付部４に取付けるには、前記雄ネジ部１９と前記雌ネジ部１７とを利用して、ヒール取付部４とヒール５とを螺合し、その後、止めネジ６を前記ネジ孔２０にねじ入れて、固定状態とすればよい。
【００１５】
上述したヒール５の他の形態のヒールを図３（ａ）（ｂ）に示す。図３（ａ）に示すヒール３０は、アルミニウム合金からなり、頭付棒形状に形成されている。なおヒール３０には、上述したヒール５と同様に、ゴム製の底材１６、雌ネジ部１７、孔１８が形成されている。前記雄ネジ部１７および孔１８は、図２に示すヒール５と同様の形状、位置に形成され、図２に示すヒール取付部４に螺合取付けが可能となるように構成されている。また図３（ｂ）に示すヒール４０は、アルミニウム合金からなり、スプリング部４１を主体とした形状に形成されている。なおヒール４０も、上述のヒール５と同様に、ゴム製の底材１６、雌ネジ部１７、孔１８が形成されている。前記雄ネジ部１７および孔１８は、図２に示すヒール５と同様の形状、位置に形成され、図２に示すヒール取付部４に螺合取付けが可能となるように構成されている。
【産業上の利用可能性】
【００１６】
本発明は、ハイヒールタイプのサンダルに関するものであって、特に、シンプルで斬新なデザインを有し、構造が簡単で、低コスト、リサイクルが容易、かつヒール交換が可能なハイヒールタイプのサンダルとして利用すると好適なものである。
【図面の簡単な説明】
【００１７】
【図１】本発明の実施形態に係るサンダルを示す斜視図である。
【図２】本実施形態のサンダルを示す断面図である。
【図３】他の実施形態のサンダルのヒールを示す図であって、（ａ）はその棒状タイプを、（ｂ）はそのスプリングタイプを示す図である。
【符号の説明】
【００１８】
１  サンダル
２  サンダル本体
３  下面踵側
４  ヒール取付部
５  ヒール
【図１】
2008018134.tif 000003
【図２】
2008018134.tif 000004
【図３】
2008018134.tif 000005